(57)【要約】【課題】表示用情報のスケジュールやメニューを効率的に作成し、表示することが可能な制御情報ファイル作成装置および情報表示装置を得ること。【解決手段】複数の異なる番組を再生表示させるための制御情報ファイルを作成する情報作成装置７０において、複数の番組を番組毎に順次再生表示させるためのスケジュールファイルを制御情報ファイルとして作成するスケジュール作成部７５１と、複数の番組から１つの番組を選択して再生表示させるためのメニューファイルを制御情報ファイルとして作成するメニュー作成部７５２と、を備え、スケジュール作成部７５１およびメニュー作成部７５２は、少なくとも一部の番組が共用されるように、スケジュールファイルおよびメニューファイルを作成する。【選択図】        図５
2005196697.tif 000002
【特許請求の範囲】
【請求項１】
複数の異なる表示用情報を再生表示させるための制御情報ファイルを作成する制御情報ファイル作成装置において、
前記複数の表示用情報を表示用情報毎に順次再生表示させるためのスケジュールファイルを制御情報ファイルとして作成するスケジュールファイル作成部と、
前記複数の表示用情報から１つの表示用情報を選択して再生表示させるためのメニューファイルを制御情報ファイルとして作成するメニューファイル作成部と、
を備え、
前記スケジュールファイル作成部および前記メニューファイル作成部は、少なくとも一部の表示用情報が共用されるように、スケジュールファイルおよびメニューファイルを作成することを特徴とする制御情報ファイル作成装置。
【請求項２】
前記スケジュールファイル作成部および／または前記メニューファイル作成部は、前記表示用情報毎の再生表示の優先度に関する優先度情報に基づいて前記スケジュールファイルおよび／または前記メニューファイルを作成することを特徴とする請求項１に記載の制御情報ファイル作成装置。
【請求項３】
前記スケジュールファイル作成部および前記メニューファイル作成部は、同時に前記スケジュールファイルおよび前記メニューファイルを作成することを特徴とする請求項１または２に記載の制御情報ファイル作成装置。
【請求項４】
前記スケジュールファイル作成部は、前記メニューファイル作成部で作成されたメニューファイルに基づいてスケジュールファイルを作成することを特徴とする請求項１または２に記載の制御情報ファイル作成装置。
【請求項５】
前記メニューファイル作成部は、前記スケジュールファイル作成部で作成されたスケジュールファイルに基づいてメニューファイルを作成することを特徴とする請求項１または２に記載の制御情報ファイル作成装置。
【請求項６】
複数の表示用情報を順次再生表示させるためのスケジュールファイルおよび複数の表示用情報から１つの表示用情報を選択して再生表示させるためのメニューファイルをそれぞれ制御情報ファイルとして作成する制御情報ファイル作成方法であって、
少なくとも一部の表示用情報が共用されるように、スケジュールファイルおよびメニューファイルを作成することを特徴とする制御情報ファイル作成方法。
【請求項７】
複数の異なる表示用情報を１つずつ再生表示する情報表示装置において、
前記複数の表示用情報と、前記複数の表示用情報を表示用情報毎に所定の時間設定または所定の順番設定に基づいて順次再生表示させるためのスケジュールファイルと、該スケジュールファイルで使用される複数の表示用情報のうち少なくとも一部の表示用情報が共用されている複数の表示用情報から１つの表示用情報を選択して再生表示させるためのメニューファイルとを格納する格納部と、
前記スケジュールファイルまたは前記メニューファイルに基づいて前記表示用情報を再生表示する表示部と、
を備えることを特徴とする情報表示装置。
【請求項８】
複数の異なる表示用情報を再生表示させるための制御情報ファイルを作成する制御情報ファイル作成装置と、前記制御情報ファイルに基づいて前記複数の表示用情報を再生表示する情報表示装置とを備える情報配信表示システムにおいて、
前記制御情報ファイル作成装置は、
前記複数の表示用情報を表示用情報毎に所定の時間設定または所定の順番設定に基づいて順次再生表示させるためのスケジュールファイルおよび前記複数の表示用情報から１つの表示用情報を選択して再生表示させるためのメニューファイルを、少なくとも一部の表示用情報が共用されて表示されるように、制御情報ファイルとして作成して前記情報表示装置に送信し、
前記情報表示装置は、前記スケジュールファイルまたは前記メニューファイルを受信し、受信したスケジュールファイルまたは前記メニューファイルに基づいて前記複数の表示用情報を再生表示することを特徴とする情報配信表示システム。
【発明の詳細な説明】
【技術分野】
【０００１】
本発明は、表示用情報を時間設定または順番設定に基づいて順次再生表示させるための制御情報ファイルと、選択された１つの表示用情報を再生表示させるための制御情報ファイルとを作成し、これら２つの制御情報ファイルに基づいて表示用情報を表示させるための制御情報ファイル作成装置、情報表示装置、制御情報ファイル作成方法および情報配信表示システムに関するものである。
【背景技術】
【０００２】
近年、電子広告等の情報を作成して配信し、表示装置で表示させるシステム等が増加している。このシステムの表示装置においては、情報の利用者がタッチパネル等から所望の情報を選択して情報を表示させるものがある。また、このシステムの表示装置において、情報提供者が所定のスケジュールに従って情報を表示させるものがある。
【０００３】
しかし、利用者が希望する情報を選択するようなシステムの場合であっても、利用者が希望の情報を選択しない場合は、情報提供者が本来希望する情報を表示させることが望まれる。一方、情報の提供者が所定のスケジュールに従って情報を提供するようなシステムの場合であっても、利用者が所望の情報を表示させたい場合もある。
【０００４】
特許文献１に記載の情報表示装置は、タッチパネルの操作に応じて表示情報の変更を行う操作表示制御部と、時計が所定の時刻になった際に情報の表示を行う定刻表示制御部と、一定の時間間隔で情報の表示を行う定間隔表示制御部を備えている。そして、タッチパネルによって表示情報の変更操作が行われてから一定時間の間は定刻表示と定間隔表示を禁止している。これによって、操作入力に従った表示と所定の時間的規則に従った表示を可能としている。
【０００５】
【特許文献１】特開２００２−１４７５４号公報
【発明の開示】
【発明が解決しようとする課題】
【０００６】
上記従来の情報表示装置は、操作入力に従った表示と所定の時間的規則に従った表示を可能としているが、操作入力に従って表示する情報と時間的規則に従って表示する情報の関連性を考慮していないため、作成した情報素材が十分に活用されていないといった問題があった。また、この従来技術では、表示する情報のスケジュール作成やメニュー作成に関する技術は開示されていない。
【０００７】
本発明は、上記に鑑みてなされたものであって、表示用情報のスケジュールやメニューを効率的に作成し、表示することが可能な制御情報ファイル作成装置および情報表示装置を得ることを目的とする。
【課題を解決するための手段】
【０００８】
上述した課題を解決し、目的を達成するために、請求項１に記載の発明は、複数の異なる表示用情報を再生表示させるための制御情報ファイルを作成する制御情報ファイル作成装置において、前記複数の表示用情報を表示用情報毎に順次再生表示させるためのスケジュールファイルを制御情報ファイルとして作成するスケジュールファイル作成部と、前記複数の表示用情報から１つの表示用情報を選択して再生表示させるためのメニューファイルを制御情報ファイルとして作成するメニューファイル作成部と、を備え、前記スケジュールファイル作成部および前記メニューファイル作成部は、少なくとも一部の表示用情報が共用されるように、スケジュールファイルおよびメニューファイルを作成することを特徴とする。
【０００９】
また、請求項６に記載の発明は、複数の表示用情報を順次再生表示させるためのスケジュールファイルおよび複数の表示用情報から１つの表示用情報を選択して再生表示させるためのメニューファイルをそれぞれ制御情報ファイルとして作成する制御情報ファイル作成方法であって、少なくとも一部の表示用情報が共用されるように、スケジュールファイルおよびメニューファイルを作成することを特徴とする。
【００１０】
また、請求項７に記載の発明は、複数の異なる表示用情報を１つずつ再生表示する情報表示装置において、前記複数の表示用情報と、前記複数の表示用情報を表示用情報毎に所定の時間設定または所定の順番設定に基づいて順次再生表示させるためのスケジュールファイルと、該スケジュールファイルで使用される複数の表示用情報のうち少なくとも一部の表示用情報が共用されている複数の表示用情報から１つの表示用情報を選択して再生表示させるためのメニューファイルとを格納する格納部と、前記スケジュールファイルまたは前記メニューファイルに基づいて前記表示用情報を再生表示する表示部と、を備えることを特徴とする。
【００１１】
また、請求項８に記載の発明は、複数の異なる表示用情報を再生表示させるための制御情報ファイルを作成する制御情報ファイル作成装置と、前記制御情報ファイルに基づいて前記複数の表示用情報を再生表示する情報表示装置とを備える情報配信表示システムにおいて、前記制御情報ファイル作成装置は、前記複数の表示用情報を表示用情報毎に所定の時間設定または所定の順番設定に基づいて順次再生表示させるためのスケジュールファイルおよび前記複数の表示用情報から１つの表示用情報を選択して再生表示させるためのメニューファイルを、少なくとも一部の表示用情報が共用されて表示されるように、制御情報ファイルとして作成して前記情報表示装置に送信し、前記情報表示装置は、前記スケジュールファイルまたは前記メニューファイルを受信し、受信したスケジュールファイルまたは前記メニューファイルに基づいて前記複数の表示用情報を再生表示することを特徴とする。
【発明を実施するための最良の形態】
【００１２】
以下に、本発明にかかる情報作成装置、情報表示装置、情報配信表示システムの実施の形態を説明する。なお、この実施の形態によりこの発明が限定されるものではない。以下では、本発明の情報作成装置と情報表示装置の概略と特徴を実施の形態として説明し、その後に情報作成装置と情報表示装置に関する実施例を説明する。
【００１３】
［実施の形態］
本実施の形態において、表示再生の対象としての情報は電子広告等の情報からなる番組であり、電子広告等の情報からなる番組は例えば動画像、静止画像、音声、文字情報等によって作成される。このような電子広告等の情報は、情報作成装置（制御情報ファイル作成装置）によって作成され、インターネット等のネットワークを介して情報表示装置に送られる。
【００１４】
番組は情報視聴者に多く視聴してもらうことが必要であり、効率よく再生表示させる必要がある。番組の視聴者側の立場では所望の番組を所望のタイミングで再生させ、視聴することを望む。一方、情報提供者側の立場では情報提供者が提供したい番組を再生させておくことが、広告等の訴求性を高めることにつながる。
【００１５】
ここでは、情報再生装置は、視聴者が望む番組を再生させるため、番組の一覧表となるメニュー画面から視聴者によって選択された番組を再生させる機能と、情報の提供者が望む番組を再生させるため番組毎に番組の再生開始時間や再生終了時間等を設定しておき、番組を時間的設定（スケジュール）に基づいて順番に再生させる機能を備えている。そして、情報再生装置は、通常は番組をスケジュール再生しておき、視聴者がメニュー再生を望んだ場合にメニュー再生に切替える。
【００１６】
スケジュール再生させる場合には、スケジュール再生を行わせる制御情報ファイルと番組ファイルが必要であり、メニュー再生させる場合にはメニュー再生を行わせる制御情報ファイルと番組ファイルが必要となる。したがって、このような二通りの方法によって番組を再生させる場合、メニュー再生用の番組ファイルとスケジュール再生用の番組が必要となり、全体としてデータ量が多くなってしまう。
【００１７】
そこで、本実施の形態においては、メニュー再生で使用する複数の番組ファイルとスケジュール再生で使用する複数の番組ファイルを少なくとも一部の番組ファイルが共用されるようにし、互いに番組ファイルを共有するかたちで番組再生が行えるよう、情報作成装置においてメニューファイルとスケジュールファイルを作成する。
【００１８】
例えば、番組ファイル毎に番組再生の優先順位をつけておき、番組同士で番組再生の予定時間が重なった場合は、優先順位の高い番組を優先的にスケジュール内に入れてスケジュールファイルを作成する。また、メニュー画面内においてメニュー再生用の自動再生用ボタンを配置し、自動再生用ボタンには予め自動再生用ボタンの配置位置や大きさ等に基づいて優先順位をつけておく。そして、番組再生の優先順位が高い番組を優先順位の高い自動再生用ボタンに割り当てることによってメニューファイルを作成する。このように、番組再生の優先順位等の情報が少なくとも一つあればメニューファイルとスケジュールファイルを作成することが可能となる。
【００１９】
このように、実施の形態においては、メニュー再生で使用する複数の番組ファイルとスケジュール再生で使用する複数の番組ファイルが共用されるようにメニューファイルとスケジュールファイルを作成しているので、スケジュールファイルとメニューファイルの作成を短時間で容易に行うことが可能となる。また、メニュー再生やスケジュール再生を行うための番組ファイル数も少なくさせることが可能となる。
【実施例】
【００２０】
図１〜図１０を用いて、本発明の実施例を説明する。まず、図１および図２を用いて、本発明の実施例にかかる情報配信表示システムが扱うデータおよび制御情報ファイルについて説明する。
【００２１】
図１は、本発明の実施例の情報配信表示システムが扱うファイルの最も大きな単位となるプレゼンテーションパック２の構成を示している。図１に示すように、プレゼンテーションパック２は、パック情報ファイル２１と、メニューファイル２２と、自動プレゼンテーションスクリプト（以下、自動プレゼンスクリプトという）２３と、複数のプレゼンテーションファイル２４−１〜２４−ｎと、複数の素材データ２５−１〜２５−ｍと、複数の再生用テンプレートファイル２６−１〜２６−ｋとで構成される。パック情報ファイル２１、メニューファイル２２、自動プレゼンスクリプト２３、プレゼンテーションファイル２４−１〜２４−ｎおよび再生用テンプレートファイル２６−１〜２６−ｋは、通常、複数の素材データ（コンテンツ）から成る番組を表示するために必要な情報が定義される制御情報ファイルであり、素材データ（コンテンツ）２５−１〜２５−ｍは、上記制御情報ファイルの動作によって表示される実際の表示データである。
【００２２】
素材データ２５−１〜２５−ｎは、再生用テンプレートファイル２６−１〜２６−ｋ内で使用するコンテンツデータである。素材データ２５−１〜２５−ｎとしては、ＭＰＥＧ（Moving Picture Experts Group）形式やアニメーションＧＩＦ（Graphic Interchange Format）形式などの動画像のファイル、ＪＰＥＧ（Joint Photographic Coding Experts Group）形式、ＰＮＧ（Portable Network Graphics）形式、ＧＩＦ（Graphic nterchange Format）形式、ＴＩＦＦ（Tagged Image File Format）形式などの静止画像ファイル、ＭＩＤＩ（Musical Instruments Digital Interface）形式やＭＰ３（MPEG Audio Layer-3）形式、ＷＭＡ（Windows(R) Media Audio）形式などの音声ファイル、Ｆｌａｓｈ形式などの音声および動画像の情報を含む音声動画像ファイル、テキストファイルなどがある。
【００２３】
再生用テンプレートファイル２６−１〜２６−ｋには、各素材データを表示するための１〜複数の表示エリア（ウィンドウ）の表示位置を示す表示位置情報と、該表示エリアの表示サイズと、当該表示エリアに表示される素材データの再生に使用する再生プレーヤー（表示エリアと再生プレーヤーの関連付け）などが定義される。
【００２４】
たとえば、図２に示すように、表示画面２４１に、ＭＰＥＧ形式のファイルを表示する動画表示エリア２４２と、ＪＰＥＧ形式のファイルを表示する静止画表示エリア２４３と、ＰＮＧ形式のファイルを表示する静止画表示エリア２４４と、テキストファイルを表示するテキストスクロールエリア２４５との４つのエリアを含む１つの番組を表示するとする。
【００２５】
この場合、再生用テンプレートファイルには、
・動画表示エリア２４２に関しては、
動画表示エリア２４２を示す表示エリア名の表示位置情報、その表示サイズ、および動画表示エリア２４２を示す表示エリア名と再生プレーヤー（この場合、或る一つの動画プレーヤー）との関連付け情報が定義され、
・静止画表示エリア２４３に関しては、
静止画表示エリア２４３を示す表示エリア名の表示位置情報、その表示サイズ、および静止画表示エリア２４３を示す表示エリア名と再生プレーヤー（この場合、或る一つの静止ビューワー）との関連付け情報が定義され、
・静止画表示エリア２４４に関しては、
静止画表示エリア２４４を示す表示エリア名の表示位置情報、その表示サイズ、および静止画表示エリア２４４を示す表示エリア名と再生プレーヤー（この場合、或る一つの静止ビューワー）との関連付け情報が定義され、
・テキストスクロールエリア２４５に関しては、
テキストスクロールエリア２４５を示す表示エリア名の表示位置情報、その表示サイズ、およびテキストスクロールエリア２４５を示す表示エリア名と再生プレーヤー（この場合、或る一つのテキストスクロールエンジン）との関連付け情報が定義される。
【００２６】
このように、再生用テンプレートファイルには、各表示エリアの表示位置、表示サイズおよび各表示エリアと再生プレーヤーとの関連付け情報などが定義されており、再生用テンプレートファイルの定義によって、表示画面２４１のレイアウトを簡単に変更することができる。換言すれば、異なる定義の再生用テンプレートファイルを複数準備しておき、使用する再生用テンプレートファイルによって表示レイアウトを変更したり、同じ再生用テンプレートファイルを用いて各表示エリアに表示する素材データを変更するだけで異なる番組を作成することが可能となる。
【００２７】
各プレゼンテーションファイル（番組ファイル）２４−１〜２４−ｎには、１つの再生用テンプレートファイル２６−１〜２６−ｋのファイル名と、当該１つの再生用テンプレートファイルに定義されている前述の１〜複数の表示エリア（表示エリア名）と１〜複数の素材データ２５−１〜２５−ｍ（ファイル名）との対応付け情報が定義されている。例えば、先の図２において、動画表示エリア２４２に素材データ２５−１を表示させ、静止画表示エリア２４３に素材データ２５−２を表示させ、静止画表示エリア２４４に素材データ２５−３を表示させ、テキストスクロールエリア２４５に素材データ２５−４を表示させる場合には、そのような対応付けを規定した対応付け情報が或る１つのプレゼンテーションファイル２４−１に定義されることになる。このように、１つのプレゼンテーションファイルが１つの番組に対応しており、各プレゼンテーションファイル２４−１〜２４−ｎは素材データ２５−１〜２５−ｍおよび再生用テンプレートファイル２６−１〜２６−ｋのファイル管理に使用される。
【００２８】
メニューファイル２２には、情報視聴者が複数の番組（複数のプレゼンテーションファイル２４−１〜２４−ｎに対応）から１つの番組を選択するための自動再生用ボタンを含むメニュー画面を定義する情報と、自動再生用ボタン（自動再生用ボタン名）とプレゼンテーションファイルのファイル名との対応付け情報が定義される。
【００２９】
自動プレゼンスクリプト２３には、各番組の表示開始時刻および表示終了時刻などを規定する情報、すなわち各番組の表示スケジュールに関する情報が定義される。すなわち、１つの表示開始時刻および表示終了時刻に対応付けて、１つのプレゼンテーションファイル名が定義される。
【００３０】
パック情報ファイル２１には、メニューファイル２２、自動プレゼンスクリプト２３のそれぞれのファイル名が定義されており、パック情報ファイル２１はこれらファイル２２，２３のファイル管理に使用される。プレゼンテーションファイル２４−１〜２４−ｎは、メニューファイル２２、自動プレゼンスクリプト２３により管理される。
【００３１】
図３は、本発明の実施例にかかる情報配信表示システムの構成を示すシステム構成図である。図３に示すように、本発明の実施例にかかる情報配信表示システムは、素材データ作成装置９と、テンプレート作成装置８と、情報作成装置７と、データ配信サーバ３と、監視装置５と、情報表示装置１とが、インターネットなどのネットワーク６を介して相互に通信可能に接続して構成される。
【００３２】
素材データ作成装置９は、クリエーターが素材データ２５−１〜２５−ｍを作成するためのパーソナルコンピュータ等の装置であり、動画像ファイル、静止画像ファイル、テキストファイルおよび音声動画像ファイルなどの素材データを作成する素材データ作成機能を備えている。
【００３３】
テンプレート作成装置８は、クリエーターが再生用テンプレートファイル２６−１〜２６−ｋを作成するためのパーソナルコンピュータ等の装置であり、再生用テンプレートファイルを作成する再生用テンプレート作成機能を備えている。
【００３４】
情報作成装置７は、プロデューサーが番組を作成するためのパーソナルコンピュータ等の装置であり、素材データ作成装置９によって作成された各種素材データ、およびテンプレート作成装置８によって作成された再生用テンプレートファイルを用いて、図１に示したプレゼンテーションパック２に含まれるすべてのファイルを作成する。そして、作成したプレゼンテーションパックをネットワーク６を介してデータ配信サーバ３に送信する。情報作成装置７は、プレゼンテーション作成機能と、スケジュール・メニュー作成機能と、パック作成機能と、データアップロード機能とを備えている。
【００３５】
プレゼンテーション作成機能は、素材データ作成装置９によって作成された各種素材データ２５−１〜２５−ｍ、およびテンプレート作成装置８によって作成された再生用テンプレートファイル２６−１〜２６−ｋを用いて、プロデューサーが複数の番組に対応する複数のプレゼンテーションファイル２４−１〜２４−ｎを作成するための機能である。具体的には、前述したように、プロデューサーが、１つのプレゼンテーションファイル毎に、１つの再生用テンプレートファイルのファイル名を定義するとともに、該１つの再生用テンプレートファイルに定義されている前述の１〜複数の表示エリア（表示エリア名）と１〜複数の素材データ２５−１〜２５−ｍ（ファイル名）との対応付けを定義する。また、プレゼンテーション作成機能は、プロデューサーが作成したプレゼンテーションファイルを確認するために、プレゼンテーションファイルに定義された再生用テンプレートファイルを用いて素材データを再生して、番組を表示する機能を備えている。
【００３６】
スケジュール・メニュー作成機能は、プロデューサーによって指定された各プレゼンテーションファイル間の表示順序の優先順位を示す優先度情報に基づいて、前記プレゼンテーション作成機能によって作成された各プレゼンテーションファイルで定義された番組の表示スケジュールを決定して前述の自動プレゼンスクリプト２３およびメニューファイル２２を作成する機能である。
【００３７】
パック作成機能は、メニューファイル２２、自動プレゼンスクリプト２３、またはプレゼンテーションファイル２４−１〜２４−ｎが作成、変更されたとき、所要のメニューファイル２２、自動プレゼンスクリプト２３、またはプレゼンテーションファイル２４−１〜２４−ｎを選択してパック情報ファイル２１を作成したり、あるいはパック情報ファイル２１に含まれるファイルを変更したりするための機能である。
【００３８】
データアップロード機能は、パック作成機能によって作成されたプレゼンテーションパック２をネットワーク６を介してデータ配信サーバ３に送信する機能である。この場合、データアップロード機能では、プレゼンテーションパック２に含まれる複数のファイルから、１つのパッケージに１〜複数のファイルが含まれるように複数のパッケージを作成して、作成した複数のパッケージをパッケージ単位で暗号化した後に、パッケージ識別情報を付加して、データ配信サーバ３に送信する。パッケージ識別情報には、自パッケージが属するプレゼンテーションパック名、自パッケージに含まれるファイルの内容を示す情報（新規の素材データ２５−１〜２５−６から成るとか、素材データ２５−１〜２５−８の変更更新データであるとか、新規のプレゼンテーションファイル２４−１〜２４−１０とメニューファイル２２とから成るとか）などが含まれている。この場合、パッケージとは、同じ鍵で暗号化して送信されるファイル群に対応する。
【００３９】
なお、データアップロード機能は、パッケージを作成する際に、対象となるプレゼンテーションパック２が新規のものであるのか更新されたものであるのかを判断して、更新されたプレゼンテーションパックの場合には、更新されたファイルのみを含むパッケージを作成して送信する。このパッケージ化は、１回のデータ通信のデータ量を削減するためであり、データ量が少ない場合は、プレゼンテーションパック２自体を暗号化して送信するようにしてもよい。
【００４０】
データ配信サーバ３は、監視装置５の監視指示および制御指示に基づいて、情報表示装置１の監視および制御を行う。データ配信サーバ３は、プレゼンテーションパック管理機能と、端末管理機能と、ログ集計機能とを備えている。
【００４１】
プレゼンテーションパック管理機能は、情報作成装置７から受信したパッケージを格納するとともに、受信したパッケージが新たなプレゼンテーションパック２を構成する１つのパッケージであるのか、既に格納しているプレゼンテーションパック２内の更新されたファイルのみを含むパッケージであるのかをパッケージ識別情報から判別する。更新されたファイルのみのパッケージの場合には、プレゼンテーションパック管理機能は、格納しているパッケージおよび情報作成装置７から受信したパッケージを復号化し、そして、格納しているプレゼンテーションパック内の更新部分（情報作成装置７から受信したパッケージのファイル）だけを変更した後に、パック化、暗号化して格納する。また、新たなプレゼンテーションパック２を構成する１つのパッケージである場合は、新たなプレゼンテーションパック２を構成する全てのパッケージが受信された後、これら全てのパッケージをプレゼンテーションパック化した後、格納する。
【００４２】
端末管理機能は、情報表示装置１からポーリングによるアクセスがあった場合、監視装置５からの監視指示に基づいて情報表示装置１のＣＰＵの負荷情報や情報表示装置１の表示部の温度などの情報表示装置１内の各種状態を示す情報（以下、監視情報という）の送信要求を情報表示装置１に送信する。また、端末管理機能は、情報表示装置１からポーリングによるアクセスがあった場合、監視装置５からの制御指示に基づいて、プレゼンテーションパックまたはパッケージのダウンロード要求を情報表示装置１に送信すること、情報表示装置１で既に記憶されている複数のプレゼンテーションパック内でのプレゼンテーションパックの切替え指示を情報表示装置１に送信すること、ポーリング間隔の変更設定指示を情報表示装置１へ送信することなどを行う。
【００４３】
ログ集計機能は、情報表示装置１から送信される監視情報を集計、記憶する機能である。ログ集計機能によって記憶された各種データは、監視装置５から閲覧可能となっている。
【００４４】
情報表示装置１は、情報作成装置７によって作成された番組を表示する装置であり、スケジュール管理機能、再生表示機能を備え、データ配信サーバ３からダウンロードしたパッケージまたはプレゼンテーションパックを復号化した１〜複数のプレゼンテーションパックを格納している。
【００４５】
スケジュール管理機能は、プレゼンテーションパック２内の自動プレゼンスクリプト２３に基づいて番組の表示スケジュールを管理するためのものであり、再生表示機能に対し、番組の再生を開始する再生指示および番組の再生を停止する停止指示を出力する。再生指示は、自動プレゼンスクリプト２３に定義されている番組開始時間になったとき、または情報視聴者によってメニュー画面の或る番組選択ボタンが投入されて番組が選択されたときに出力される。再生指示には、再生する番組に対応するプレゼンテーションファイルのファイル名が含まれている。停止指示は、番組を表示中、自動プレゼンスクリプト２３によって指定されている表示終了時刻になったとき、または情報視聴者によって再生中の番組と異なる番組がメニュー画面などによって選択された場合などに出力される。
【００４６】
また、スケジュール管理機能は、データ配信サーバ３を介して監視装置５から送信された制御指示に基づいて既に記憶されている複数のプレゼンテーションパック内でプレゼンテーションパックを切替るなどの機能も備えている。
【００４７】
再生表示機能は、再生指示に含まれるプレゼンテーションファイルに基づいて番組を表示する機能である。再生表示機能は、プレゼンテーションファイルに定義されている再生用テンプレートファイルの１〜複数の表示エリア対応付けられた１〜複数の素材データを、それぞれの表示エリアの再生プレーヤーを用いて再生して番組を表示する。たとえば、図４に示すように、動画表示エリア２６２、静止画表示エリア２６３，２６４、およびテキストスクロールエリア２６５が定義されている再生用テンプレートファイル２６１と、動画表示エリア２６２に対応付けられた動画素材データ２５１と、静止画表示エリア２６３，２６４に対応付けられた静止画素材データ２５２と、テキストスクロールエリア２６５に対応付けられているテキストデータ２５３とによって番組を表示すると仮定すると、再生用テンプレートファイル２６１の動画表示エリア２６２に動画素材データ２５１が、静止画表示エリア２６３，２６４には静止画素材データ２５２が、テキストスクロールエリア２６５にはテキストデータ２５３が、それぞれの再生プレーヤーによって再生されて番組２７０が表示される。なお、プレゼンテーションファイルに再生用テンプレートファイルが定義されていない場合、再生表示機能は、予め格納しているデフォルトの再生用テンプレートファイルを用いて番組を表示する。
【００４８】
監視装置５は、システム管理者が情報表示装置１の監視および制御を行うためのパーソナルコンピュータ等の装置であり、監視機能および制御機能を備えている。監視機能は、情報表示装置１から監視情報を取得するための監視指示をデータ配信サーバ３に送信する機能である。制御機能は、プレゼンテーションパックまたはパッケージのダウンロード要求、プレゼンテーションパックの切替え指示、ポーリング間隔の変更設定指示などの情報表示装置１を制御するための制御指示をデータ配信サーバ３に送信する機能である。
【００４９】
なお、図３に示した情報配信表示システムでは、テンプレート作成装置８、素材データ作成装置９、および情報表示装置１は１台であるが、これらの装置は、それぞれ複数台備えてもよい。
【００５０】
つぎに、本発明の実施例にかかる情報配信表示システムの動作概要を説明する。まず、情報表示装置１に番組を表示する動作を説明する。テンプレート作成装置８はクリエーターによって作成された再生用テンプレートファイル２６−１〜２６−ｋを、素材データ作成装置９はクリエーターによって作成された素材データ２５−１〜２５−ｍを、それぞれ情報作成装置７に送信する。
【００５１】
情報作成装置７は、素材データ作成装置９によって作成された各種素材データ２５−１〜２５−ｍ、およびテンプレート作成装置８によって作成された再生用テンプレートファイル２６−１〜２６−ｋを用いて、図１に示したプレゼンテーションパック２に含まれるファイルを作成する。そして、ネットワーク６を介してパック作成機能によって作成されたプレゼンテーションパック２またはパッケージを暗号化してデータ配信サーバ３に送信する。
【００５２】
データ配信サーバ３は、受信したプレゼンテーションパック２またはパッケージを復号化した後、暗号化して格納する。その後、データ配信サーバ３は、監視装置５からの制御指示に基づいて、格納しているプレゼンテーションパック２またはパッケージを情報表示装置１にダウンロードさせる。
【００５３】
情報表示装置１では、データ配信サーバ３からダウンロードしたプレゼンテーションパック２またはパッケージを復号化し、その後プレゼンテーションパック２内の自動プレゼンスクリプト２３、またはメニューファイル２２に基づいて表示すべき番組のプレゼンテーションファイルに定義されている再生用テンプレートファイルを用いて各素材データを再生して番組を表示する。
【００５４】
つぎに、監視装置５から情報表示装置１を監視する動作を説明する。情報表示装置１は、所定の時間間隔でポーリングによりデータ配信サーバ３にアクセスしている。データ配信サーバ３は、情報表示装置１からのアクセスがあると、監視装置５からの監視指示がある場合は、監視情報送信要求を情報表示装置１に送信する。情報表示装置１は、監視情報送信要求に基づいて要求された監視情報をデータ配信サーバ３に送信する。データ配信サーバ３は、受信した監視情報を記憶した後、監視装置５からの監視指示をリセット（監視指示がないものと）する。このようにして、監視装置５は、任意のタイミングでデータ配信サーバ３にアクセスして、データ配信サーバ３に記憶されている監視情報を閲覧して、情報表示装置１の状態を監視する。
【００５５】
つぎに、監視装置５から情報表示装置１を制御する動作を説明する。情報表示装置１は、所定のタイミングでポーリングによりデータ配信サーバ３にアクセスしている。データ配信サーバ３は、情報表示装置１からのアクセスがあると、監視装置５からの制御指示がある場合は、その制御指示を情報表示装置１に送信する。情報表示装置１は、受信した制御指示に基づいた制御を行う。
【００５６】
制御指示がプレゼンテーションパック２またはパッケージのダウンロードの指示である場合には、情報表示装置１は、データ配信サーバ３に制御指示によって指定されたプレゼンテーションパックまたはパッケージを要求して、指定されプレゼンテーションパックまたはパッケージをダウンロードする。制御指示がプレゼンテーションパックの切替えの指示である場合には、情報表示装置１は、スケジュール管理機能によってプレゼンテーションパックを、現在使用しているプレゼンテーションパックから指示されたプレゼンテーションパックに切り替える。また、制御指示がポーリング間隔を設定する指示である場合には、情報表示装置１は、つぎにポーリングから指定された間隔でデータ配信サーバ３にアクセスするように、ポーリング間隔を設定する。
【００５７】
なお、データ配信サーバ３と情報表示装置１とのポーリングによる通信プロトコルに、ＨＴＴＰのＧＥＴメソッドを用いた場合には、メタファイルによって通信を行うようにする。すなわち、情報表示装置１からデータ配信サーバ３へは、所定のポーリング間隔でＨＴＴＰプロトコルのＧＥＴメソッドを用いる。このとき、端末ＩＤ（情報表示装置１毎のＩＤ）を付加しておく。データ配信サーバ３からは端末制御メタファイルが送られる。端末制御メタファイルにはプレゼンテーションパックの切替え等の制御を行わせる指示ファイルが含まれる。データ配信サーバ３から端末制御メタファイルにより監視指示があった場合は、監視項目を端末情報メタファイルとしてデータ配信サーバ３に送る。データ配信サーバ３から端末制御メタファイルにより端末リモート制御メタファイルを受信するよう指示があった場合は、情報表示装置１からデータ配信サーバ３へ、ＨＴＴＰのＧＥＴメソッドで端末リモート制御メタファイルを受信するためのアクセスをし、データ配信サーバ３から端末リモート制御メタファイルを受信する。そして、これに基づいて情報表示装置１の制御を行う。なお、ポーリング間隔は、データ配信サーバ３からの端末リモート制御メタファイルによって変更可能である。
【００５８】
つぎに、上述した情報配信表示システム等に適用される、本発明の要部としての情報作成装置および情報表示装置の詳細について説明する。図５は、情報作成装置の構成を示すブロック図である。情報作成装置（制御情報ファイル作成装置）７０は、例えば上述した情報配信表示システムの情報作成装置７等に適用される。また、図６は情報表示装置の構成を示すブロック図である。情報表示装置１０は、例えば上述した情報配信表示システムの情報表示装置１等に適用される。
【００５９】
図５に示すように、本実施例にかかる情報作成装置７０は、表示部７１、入力部７２、入力ＩＦ部７３、記憶部７４、スケジュール・メニュー作成部７５、通信ＩＦ部７６、制御部７７で構成されている。
【００６０】
情報作成装置７０は、複数の番組（表示用情報）を再生（表示）する際の番組再生用のスケジュールと番組選択用のメニューを、スケジュールファイル（自動プレゼンスクリプト）２３やメニューファイル２２といった制御情報ファイルとして作成する装置である。なお、１つの番組は、前述したように、１つのプレゼンテーションファイル（番組ファイル）に対応しており、番組ファイルを決定すれば、前述したように、使用される再生用テンプレートファイルおよび素材データが決定される。本実施例における「スケジュール」とは、番組毎に番組を再生させる日時等や再生の順番を定めたものであり、番組再生用の番組表の機能を果たしている。スケジュールファイル作成の際は、番組毎に再生開始時刻と再生終了時刻を設定して作成してもよいし、再生させる番組の順番を設定して作成してもよい。ここでのスケジュールファイルは、１つの再生開始時刻および再生終了時刻に対応付けて１つの番組ファイル名が定義されるか、または再生開始順序に対応付けて各番組ファイル名が定義される。
【００６１】
本実施例における「メニュー」とは、各番組を自動表示させるための自動再生用ボタンを画面上に配置したものであり、番組選択用の一覧表を示す機能を果たしている。また、自動再生用ボタンはメニュー画面内において番組毎に１つ以上配置されるものとする。ここでのメニューファイルは、自動再生用ボタン（自動再生用ボタン名）と番組ファイル名の対応付け情報が定義される。メニューを用いて番組を表示する際は、マウス等で自動再生用ボタンを指定することによって希望する番組を表示させることが可能となる。
【００６２】
メニュー再生で使用する複数の番組ファイルとスケジュール再生で使用する複数の番組ファイルは、少なくともその一部が共用されるものであり、互いに番組ファイルを共有するかたちで、番組表示を可能としている。換言すると、共用される番組ファイルが１つあればスケジュール再生とメニュー再生の両方を行うことが可能となる。
【００６３】
例えば、３つの番組ファイルＡ，Ｂ，Ｃからは、番組ファイルＡ，Ｂ，Ｃを再生するためのメニューファイルと番組Ａ，Ｂ，Ｃを再生するためのスケジュールファイルが作成され、各番組ファイルＡ，Ｂ，Ｃは、メニューとスケジュールの両方から再生することができる。メニューファイル、スケジュールファイルには、番組Ａ，Ｂ，Ｃを再生するためのファイルであることを示す情報（識別子）をファイル管理のために付加してもよい。そして、情報表示装置１０等が、複数の番組ファイルと、この番組に対するスケジュールファイルと、この番組に対するメニューファイルとによって、複数の番組をスケジュール再生およびメニュー再生させることが可能となる。
【００６４】
表示部７１は、スケジュールファイル、メニューファイルの内容を確認するために表示させる表示手段であり、液晶表示パネル、プラズマディスプレイ装置等を備えて構成されている。
【００６５】
入力部７２は、種々の情報を入力するための入力手段であり、マウスやキーボードを備えて構成されている。入力部７２へは、例えば番組の再生（表示）優先度に関する情報（以下、番組表示優先度情報という）や番組の表示設定時間に関する情報（以下、表示設定時間情報という）を番組表示優先度情報ファイルや表示設定時間ファイルとして入力する
【００６６】
また、入力部７２はスケジュールファイルやメニューファイル作成を行う際、番組表示優先度情報に基づく番組の表示優先順位の決定方法の設定変更や番組名の指定等に関する指示情報や選択情報、作成されたスケジュールファイルやメニューファイルの送信に関する指示情報等を入力する。指示情報や選択情報には、指定する番組に対応する番組ファイル（プレゼンテーションファイル）のファイル名が含まれている。
【００６７】
番組表示優先度情報とは、各番組を再生する際の優先度に関する情報であり、スケジュール・メニュー作成部７５は、優先度の高い番組を優先的に再生させることができるようメニューファイルとスケジュールファイルを作成する。例えば、スケジュールファイル作成の際に複数の番組の再生設定時間が重なった場合、優先度の高い番組を優先的に再生させるようスケジュールファイルを作成する。ここで、表示設定時間情報とは、番組ファイル毎に予め設定される番組の再生を希望する時刻の情報であり、例えば午前７：００〜午後９：００までのように決めておく。
【００６８】
また、優先度の高い番組の番組名をメニュー内の目立つ位置に大きく配置された自動再生用ボタンに表示をする等してメニューを作成する。番組表示優先度情報に基づいて作成したメニューのメニューファイルとスケジュールのスケジュールファイルにはどのような番組表示優先度情報に基づいて作成されたものであるかの情報（識別子）を付加しておいてもよい。なお、番組表示優先度情報を含む番組表示優先度情報ファイルは番組毎に１つずつ用意しておいてもよいし、複数の番組をまとめて１つの番組表示優先度情報ファイルを構成してもよい。
【００６９】
入出力ＩＦ部７３は、入力部７２からのデータ入力を行うためのインタフェースである。記憶部７４は、入力部７２から入力されたデータやスケジュール・メニュー作成部７５で作成された制御情報ファイル等を格納する格納手段（記憶手段）である。例えば、入力部７２から入力された番組表示優先度情報ファイルや番組毎の表示設定時間ファイル、スケジュール・メニュー作成部７５で作成されたスケジュールファイルやメニューファイル等を格納する。
【００７０】
スケジュール・メニュー作成部７５は、スケジュール作成部７５１、メニュー作成部７５２、番組表示優先順位設定部７５３を備えている。番組表示優先順位設定部７５３は、記憶部７４に格納された番組表示優先度情報から、メニューファイルやスケジュールファイルを作成する際の番組の表示優先順位を決定する。
【００７１】
スケジュール作成部７５１は、表示設定時間情報ファイルと番組表示優先順位設定部７５３で決められた番組毎の表示優先順位に基づいて、複数の番組に対するスケジュールをスケジュールファイルとして自動作成するための作成手段である。なお、スケジュールファイルは手動で作成してもよい。スケジュール作成部７５１において作成されたスケジュールファイルは、記憶部７４において格納される。
【００７２】
メニュー作成部７５２は、表示設定時間情報ファイルと番組表示優先順位設定部７５３で決められた番組毎の表示優先順位に基づいて、複数の番組に対するメニューをメニューファイルとして自動作成するための作成手段である。メニューファイルは番組毎の自動再生用ボタンの表示位置、表示サイズ、番組のプレビュー用再生画面等に関する情報で作られる。なお、メニューファイルは手動で作成してもよい。
【００７３】
また、メニューファイルを作成する際、メニュー作成用のテンプレート（以下、メニュー用テンプレートファイルという）を使用してもよい。メニュー用テンプレートファイルは、複数の番組をメニュー画面表示するために必要な情報が定義される制御情報ファイルである。メニュー作成部７５２において作成されたメニューは記憶部７４において格納される。
【００７４】
このように、スケジュール作成部７５１とメニュー作成部７５２は、番組ファイル自体がなくても番組ファイル名を指定することによって、番組毎の再生設定時間情報と番組表示優先度情報が決まればスケジュールファイルやメニューファイルを作成できる。
【００７５】
また、再生設定時間情報と番組表示優先度情報だけでスケジュールファイルやメニューファイルを作成できるので、スケジュール作成部７５１でのスケジュールの自動作成とメニュー作成部７５２でのメニューの自動作成を同時に行うことが可能となる。なお、スケジュールファイルやメニューファイルの作成を行うための番組ファイル、再生設定時間情報ファイル、番組表示優先度情報ファイルの指定、番組表示優先度情報等の設定変更は、入力部７２から行うこととする。
【００７６】
通信ＩＦ部７６は、テンプレート作成装置８や素材データ作成装置９等からネットワーク６等を介して番組ファイルやメニュー用テンプレートファイルを受信し、スケジュール・メニュー作成部７５で作成されたスケジュールファイル、メニューファイル等を情報表示装置１０等へ送信するインタフェースである。
【００７７】
なお、メニューファイルやスケジュールファイルを送る際、メニューファイルやスケジュールファイルのみを送信するようにしてもよいし、メニューファイルやスケジュールファイルを番組ファイル、再生用テンプレートファイルおよび素材データとともにパック化してプレゼンテーションファイルとして送信するようにしてもよい。
【００７８】
メニューファイル、スケジュールファイル、メニュー用テンプレートファイルのみを送信する場合は、ファイル送信先の情報表示装置１０等に予め格納してある番組ファイルを利用してメニュー再生やスケジュール再生が行われる。ファイル送信先の情報表示装置１０等が番組ファイルを予め格納していない場合は、情報表示装置１０等がメニュー再生やスケジュール再生に用いる番組ファイル、再生用テンプレートファイルおよび素材データを取得した後、メニュー再生やスケジュール再生が可能となる。
【００７９】
メニューファイル、スケジュールファイルにはそれぞれファイルを識別するための情報（ファイル名）を付加しておく。そして、通信ＩＦ部７６から情報表示装置１０等にメニューファイルやスケジュールファイルを送信する際は、入力部７２から入力されるファイル送信のための指示情報や選択情報に基づいて記憶部７４からメニューファイルやスケジュールファイルを検索する。検索されたファイルは入力部７２から入力される情報表示装置１０等のファイル送信先のアドレス等の情報に基づいて通信ＩＦ部７６からファイル送信先に送信される。
【００８０】
なお、メニューファイルやスケジュールファイルの更新を行う場合は、更新を行うメニューファイルやスケジュールファイルのみを情報作成装置７０から情報表示装置１０に送るようにしてもよい。また、番組の更新を行う場合は、番組ファイル、また必要であれば、再生用テンプレートファイルおよび素材データを情報作成装置から情報表示装置に送るようにしてもよい。
【００８１】
制御部７７は、これら表示部７１、入出力ＩＦ部７３、記憶部７４、通信ＩＦ部７６、スケジュール・メニュー作成部７５を制御する手段である。入力部７２から、番組表示優先度情報が入力された場合は、これを記憶部７４に格納させ、通信ＩＦ部７５で番組ファイルやメニュー用テンプレートファイルを受信した場合は、これを記憶部７４に格納させる。
【００８２】
また、制御部７７は、入力部７２から表示優先順位の決定方法の設定変更に関する指示情報や選択情報が入力された場合は、記憶部７４に格納している番組表示優先度情報ファイルの書換えを記憶部７４に行わせたり、番組表示優先順位設定部７５３における優先順位の設定変更を番組表示優先順位設定部７５３に行わせる。また、メニューファイルやスケジュールファイルを作成する際、入力部７２から番組の指定等に関する指示情報や選択情報が入力された場合は、この指示情報や選択情報に対応する番組の番組表示優先度情報ファイルを記憶部７４から番組表示優先順位設定部７５３に送らせる。
【００８３】
つぎに、図７および図８に従って、番組表示優先度情報に基づくスケジュールの作成方法について説明する。ここでのスケジュールは、番組毎に番組再生日時を設定することによって行う。番組表示優先度情報には、番組毎に１〜複数種類の優先度が含まれている。そして、複数種類の優先度が含まれている場合は、どの種類の優先度を優先して採用するかを設定しておく。また、各番組には例えば毎日の表示開始時刻と表示終了時刻を設定しておく。
【００８４】
図７は、番組表示優先度情報の内容を説明するための図であり、番組表示優先度情報に期間優先度と表示優先度が含まれている場合を示している。ここでは、例えば期間優先度を表示優先度より優先して採用するよう設定しておく。
【００８５】
期間優先度とは、番組の再生を行う期間の指定に基づく優先度であり、例えば日付指定ｘ１、曜日指定ｘ２、指定なしｘ３等によって表される。日付指定ｘ１は、番組の再生を行う日付を指定するものであり、曜日指定ｘ２は番組の再生を行う曜日を指定するものである。指定なしｘ３は、番組再生を行う期間の指定がないことを示している。
【００８６】
表示優先度とは、番組の表示設定時間が重なった場合の番組の内容に基づく優先度であり、例えば男性指定ｙ１、女性指定ｙ２、指定なしｙ３によって表される。男性指定ｙ１は番組が男性向きであり、番組の再生を行う場所に男性が多い場合等に指定される。女性指定ｙ２は番組が女性向きであり、番組の再生を行う場所に女性が多い場合等に指定される。指定なしｙ３は、番組再生を行う場所の指定がないことを示している。
【００８７】
また、各優先度において、どの種類の指定を優先度大とするかを設定しておく。ここでは、期間優先度が日付指定ｘ１、曜日指定ｘ２、指定なしｘ３からなるため、例えば、再生させるための優先度が高い順に日付指定ｘ１、曜日指定ｘ２、指定なしｘ３と設定しておく。また、ここでは表示優先度が男性指定ｙ１、女性指定ｙ２、指定なしｙ３からなるため、例えば、再生させるための優先度が高い順番に男性指定ｙ１、女性指定ｙ２、指定なしｙ３と設定しておく。
【００８８】
このような設定に基づいてスケジュールを作成する際に、例えば日付指定ｘ１の期間優先度を有する番組と曜日指定ｘ２の期間優先度を有する番組の表示設定時間が重なった場合は、日付指定ｘ１の期間優先度を有する番組を優先的にスケジュールに組み込むようスケジュールを作成する。
【００８９】
同様に、スケジュールを作成する際に、例えば男性指定ｙ１の表示優先度を有する番組と女性指定ｙ２の表示優先度を有する番組の表示設定時間が重なった場合は、男性指定ｙ１の表示優先度を有する番組を優先的にスケジュールに組み込むようスケジュールを作成する。
【００９０】
ここでは、スケジュールを作成する際に、番組同士で表示設定時間が重なった場合は、まず番組が持っている期間優先度に基づいてスケジュールを作成する。そして、期間優先度が同じである番組同士において、表示設定時間が重なった場合は表示優先度に基づいてスケジュールを作成する。
【００９１】
番組Ａが日付指定ｘ１と男性指定ｙ１を有し、番組Ｂが日付指定ｘ１と女性指定ｙ２を有し、番組Ｃが曜日指定ｘ２と女性指定ｙ２を有し、番組Ｄが指定なしｘ３と指定なしｙ３を有している場合のスケジュールの自動作成方法について説明する。
【００９２】
図８は、番組Ａ〜Ｄのスケジュールファイルの作成方法を説明するための図である。番組Ａ〜Ｄの表示設定時間が重なっている場合に、この重なりを調整する必要がある。ここでは、番組Ａ〜Ｄの表示設定時間が重なっている場合のスケジュールの作成方法について説明する。
【００９３】
まず、番組表示優先順位設定部７５３は、番組Ａ〜Ｄに対して期間優先度で再生の優先順位をつける。ここでは、番組Ａと番組Ｂが優先度の高い日付指定ｘ１を有し、番組Ｃがその次に優先度の高い曜日指定ｘ２を有している。従って、再生の優先順位は、番組Ａおよび番組Ｂ、番組Ｃ、番組Ｄの順番と決められる。
【００９４】
この段階では、番組Ａと番組Ｂが同じ優先順位であるため、番組Ａ，Ｂに対して表示優先度で再生の優先順位をつける。ここでは、番組Ａが優先度の高い男性指定ｙ１を有し、番組Ｂはその次に優先度の高い女性指定ｙ２を有している。従って、再生の優先順位は、番組Ａ、番組Ｂの順番と決められる。以上の結果から、再生の優先順位は、番組Ａ、番組Ｂ、番組Ｃ、番組Ｄの順番と決められる。
【００９５】
スケジュール作成部７５１は、番組表示優先順位設定部７５３での表示優先度に基づいて優先順位の高い番組Ａ、番組Ｂ、番組Ｃ、番組Ｄの順番で優先的にスケジュール内に番組Ａ〜Ｄを入れる。したがって、スケジュールの作成においてまず番組Ａをスケジュールに入れ、空いている部分に番組Ｂを入れる。さらに、スケジュールの空いている部分に番組Ｃを入れ、最後に番組Ｄを入れる。なお、番組Ａ〜Ｄにおいて、表示設定時間が重なっていなければ、そのままスケジュール内に番組Ａ〜Ｄを入れていけばよい。
【００９６】
スケジュール作成の一例として、１月１日（月曜日）〜１月７日（日曜日）までのスケジュールを作成する場合を考える。例えば、番組Ａが有する日付指定ｘ１が１月４日（木曜日）であり、番組Ｂが有する日付指定ｘ１が１月２（火曜日），３（水曜日），４日（木曜日）である場合、まずスケジュールの１月４日（木曜日）に番組Ａを入れる。そして、スケジュールの空いている部分として１月２（火曜日），３日（水曜日）に番組Ｂを入れる。
【００９７】
さらに、例えば番組Ｃが有する曜日指定が月曜日〜金曜日と日曜日である場合、スケジュールの空いている部分として１月５日（金曜日）〜１月７日（日曜日）に番組Ｃを入れる。最後に、スケジュールの空いている部分に番組Ｄを入れる。なお、どの種類の優先度を優先して採用するか、どの種類の指定を優先度大とするかは任意に設定可能とする。この実施例においては、指定なしｘ１や指定なしｙ１の番組があるが、これによりスケジュール内で時間が空くことがなくなる。
【００９８】
なお、番組表示優先度情報として番組の利用者層、情報表示装置１０等の設置場所、番組再生の時間帯、番組の内容に関する情報等を入れておいてもよい。番組の内容に関する情報としては、例えば動画や静止画等の素材の種類の情報や番組内での効果音等の情報がある。
【００９９】
なお、スケジュールは番組を番組開始日時や番組終了日時等の設定によって作成する場合に限られず、番組の再生の順番や繰り返し回数等を設定することによって作成してもよい。例えば、番組Ａ、番組Ｂ、番組Ｃ、番組Ｄの順番で所定時間再生するスケジュールを作成してもよい。また、優先度の高い番組を多く再生するよう設定してもよい。例えば、優先度の高い番組Ａを５回再生した後、番組Ｂ、番組Ｃ、番組Ｄを１回ずつ再生する。また、番組毎に時刻等を割り当ててもよい。
【０１００】
例えば、１：００〜３：００は番組Ａを再生し、３：００〜５：００は番組Ｂを再生し、５：００〜７：００は番組Ｃを再生し、７：００〜９：００は番組Ｄを再生するようスケジュールを作成し、各番組は割り当てられた時間の間リピート（繰り返し）再生する。また、優先度の高い番組は視聴率の高い時間帯に再生する等してもよい。
【０１０１】
つぎに、図９に従って、番組表示優先度情報に基づくメニューファイルの作成方法について説明する。ここでは、メニューをメニュー用テンプレートファイルに基づいて作成する場合について説明する。
【０１０２】
まず、メニューファイルを作成するために用意するファイルとしては、
・番組表示優先度情報ファイル
・自動再生用ボタン用の素材データ（図９のメニュー画面２８１においては、素材データは自動再生用ボタンｂ１〜ｂ４である）
・自動再生用ボタン用の素材データを表示するためのメニュー用テンプレートファイル
・自動再生用ボタン用の素材データ（素材データ名）と番組ファイル（番組ファイル名）との対応付け情報
・メニュー用テンプレートファイルに定義された複数の表示エリアの配置優先度に関する情報
が含まれる。
【０１０３】
一方、上記ファイルを用いて作成されるメニューファイルには、
・自動再生用ボタン用の素材データ（図９のメニュー画面２８１においては、素材データは自動再生用ボタンｂ１〜ｂ４である）
・自動再生用ボタン用の素材データを表示するためのメニュー用テンプレートファイル
・自動再生用ボタン用の素材データ（素材データ名）と番組ファイル（番組ファイル名）との対応付け情報
などの上記予め用意されたファイルの他に、
・自動再生用ボタン用の素材データ（素材データ名）とメニュー用テンプレートファイルに定義された表示エリア（表示エリア名）との対応付け情報
が含まれる。
【０１０４】
すなわち、番組表示優先度情報に基づくメニューファイルの作成は、番組表示優先度情報などに基づいて、自動再生用ボタン用の素材データ（素材データ名）とメニュー用テンプレートファイルに定義された表示エリア（表示エリア名）との対応付けを決定することが最終的な目的となる。
【０１０５】
メニュー用テンプレートファイルには、前述した再生用テンプレートファイル２６−１〜２６−ｋと同様に、例えば、図９に示すように、メニュー画面２８１の自動再生用ボタン用の素材データｂ１〜ｂ４を表示するための１〜複数の表示エリア２８３ａ〜２８３ｄの表示位置を示す表示位置情報と、該表示エリア２８３ａ〜２８３ｄの表示サイズなどが定義される。
【０１０６】
メニュー用テンプレートファイルには、各表示エリアの表示位置、表示サイズなどが定義されているため、メニュー用テンプレートファイルの定義によって、メニュー画面２８１のレイアウトを簡単に変更することができる。換言すれば、異なる定義のメニュー用テンプレートファイルを複数準備しておき、使用するメニュー用テンプレートファイルによって表示レイアウトを変更したり、同じメニュー用テンプレートファイルを用いて各表示エリアに表示する自動再生用ボタン用の素材データを変更するだけで異なるメニュー画面を作成することが可能となる。
【０１０７】
以下、メニューファイルの作成方法について具体的に説明する。例えば、番組表示優先順位設定部７５３で決定された番組ファイルＡ〜Ｄの番組表示優先順位が上位から下位へ向かって、番組ファイルＡ、番組ファイルＢ、番組ファイルＣ、番組ファイルＤの順位であったとする。また、メニュー用テンプレート２８０における４つの表示エリア２８３ａ〜２８３ｄの配置優先度が、上位から下位へ向かって、表示エリア２８３ａ、２８３ｂ、２８３ｃ、２８３ｄの順位に設定されていたとする。表示エリアの配置優先度が高いとは、例えば、表示位置がより目立つ位置にあり、またその表示エリアサイズがより大きいということである。
【０１０８】
さらに、自動再生用ボタン用の素材データ（素材データ名）ｂ１〜ｂ４と番組ファイルＡ〜Ｄとの対応付けが、素材データｂ１−番組ファイルＡ、素材データｂ２−番組ファイルＢ、素材データｂ３−番組ファイルＣ、素材データｂ４−番組ファイルＤのように設定されていたとする。
【０１０９】
上記２つの優先順位情報（番組表示優先順位と表示エリアの配置優先度）に基づいて、各番組ファイルＡ〜Ｄ（番組ファイル名）と表示エリア２８３ａ〜２８３ｄ（表示エリア名）との対応付け情報を得ることができる。この場合は、番組ファイルＡ−表示エリア２８３ａ、番組ファイルＢ−表示エリア２８３ｂ、番組ファイルＣ−表示エリア２８３ｃ、番組ファイルＤ−表示エリア２８３ｄである対応付け情報を得ることができる。
【０１１０】
つぎに、このようにして得た各番組ファイルＡ〜Ｄ（番組ファイル名）と表示エリア２８３ａ〜２８３ｄ（表示エリア名）との対応付け情報と、上記自動再生用ボタン用の素材データ（素材データ名）ｂ１〜ｂ４と番組ファイルＡ〜Ｄとの対応付け情報とに基づいて、最終的出力、すなわち自動再生用ボタン用の素材データｂ１〜ｂ４とメニュー用テンプレートファイルに定義された表示エリア２８３ａ〜２８３ｄとの対応付け情報を取得する。
【０１１１】
この場合は、素材データｂ１−表示エリア２８３ａ、素材データｂ２−表示エリア２８３ｂ、素材データｂ３−表示エリア２８３ｃ、素材データｂ４−表示エリア２８３ｄとなる自動再生用ボタン用の素材データと表示エリアとの対応付け情報を得ることができる。
【０１１２】
このようにして得られたメニューファイルによるメニュー画面２８１には、表示優先順位が１番目の番組ファイルＡを、配置優先度が最も高い表示エリア２８３ａに対応する位置に自動再生用ボタンｂ１として表示され、表示優先順位が２番目の番組ファイルＢを、配置優先度が２番目の表示エリア２８３ｂに対応する位置に自動再生用ボタンｂ２として表示され、表示優先順位が３番目の番組ファイルＣを、配置優先度が３番目の表示エリア２８３ｃに対応する位置に自動再生用ボタンｂ３としてが表示され、表示優先順位が４番目の番組ファイルＤを、配置優先度が４番目の表示エリア２８３ｄに対応する位置に自動再生用ボタンｂ４として表示される。
【０１１３】
以上のように、番組表示優先順位設定部７５３によって番組ファイルの表示優先順位を決定すれば、番組ファイルに対応する自動再生用ボタン用の素材データの表示優先順位が自動的に決定される。また、番組が広告等の情報である場合、配置優先度の高い表示エリア（自動再生用ボタン）にこの番組ファイルに対応する自動再生用ボタンを表示することが可能となり、広告としての訴求性を高めることが可能となる。なお、メニュー用テンプレート２８０において、表示エリアの表示位置を示す表示位置情報と、該表示エリアの表示サイズなどは任意に設定可能とする。
【０１１４】
このように作成されたメニューファイルをメニュー画面２８１として画面表示させることによって、番組ファイル名の一覧表示の機能を持たせることが可能となる。そして、情報表示装置１０においては、自動再生用ボタンと番組ファイルの対応付けに基づいて番組のメニュー再生が可能となる。
【０１１５】
図１０は、メニューファイルとスケジュールファイルの作成手順を示すフローチャートである。情報作成装置７０は、テンプレート作成装置８等から通信ＩＦ部７６を介してメニュー用テンプレートファイルを受信し（ステップＳ１００）、メニュー用テンプレートファイルを記憶部７４に格納しておく。また、入力部７２から番組表示優先度情報ファイル、表示設定時間情報ファイルを入力し（ステップＳ１１０）、記憶部７４に格納しておく。
【０１１６】
そして、必要に応じて情報作成装置７０のスケジュール・メニュー作成部７５において、どの種類の優先度を優先して採用するかとどの種類の指定を優先度大とするかの指示情報等を、情報作成装置７０の入力部７２に入力する。入力された情報に基づいてスケジュール・メニュー作成部７５における番組再生の優先度に関する設定を変更する。
【０１１７】
制御部７７は入力部７２を介してメニューファイルやスケジュールファイルを作成するための番組ファイルを複数選択し（ステップＳ１２０）、この番組の表示設定時間情報ファイル、番組表示優先度情報ファイルを記憶部７４からスケジュール・メニュー作成部７５に送る。
【０１１８】
番組表示優先順位設定部７５３は、番組表示優先度情報ファイルに基づいてメニュー作成を行う番組に表示優先順位をつける（ステップＳ１３０）。なお、優先度が複数ある場合は、どの種類の優先度を優先して採用するかの設定に基づいて各番組に表示優先順位をつける。また、優先度の指定が複数ある場合はどの種類の指定を優先度大とするかの設定に基づいて各番組に表示優先順位をつける。
【０１１９】
つぎに、メニュー作成部７５２においては、メニュー画面を作成すべく、自動再生用ボタン用の素材データ、自動再生用ボタン用の素材データを表示するためのメニュー用テンプレートファイル、自動再生用ボタン用の素材データ（素材データ名）と番組ファイル（番組ファイル名）との対応付け情報、メニュー用テンプレートファイルに定義された複数の表示エリアの配置優先度に関する情報を記憶部７４から読み出す（ステップＳ１４０）。
【０１２０】
つぎに、メニュー作成部７５２においては、上記２つの優先順位情報（番組表示優先順位と表示エリアの配置優先度）に基づいて、各番組ファイル（番組ファイル名）と表示エリア２８３ａ〜２８３ｄ（表示エリア名）との対応付け情報を求める（ステップＳ１５０）。
【０１２１】
つぎに、メニュー作成部７５２においては、ステップＳ１５０で取得した各番組ファイルと表示エリアとの対応付け情報と、ステップＳ１４０で記憶部７４から読み出した自動再生用ボタン用の素材データと番組ファイルとの対応付け情報とに基づいて、最終的出力、すなわち自動再生用ボタン用の素材データとメニュー用テンプレートファイルに定義された表示エリアとの対応付け情報を取得する（ステップＳ１５５）。
【０１２２】
メニュー作成部７５２は、自動再生用ボタン用の素材データ、自動再生用ボタン用の素材データを表示するためのメニュー用テンプレートファイル、自動再生用ボタン用の素材データと番組ファイルとの対応付け情報、および自動再生用ボタン用の素材データとメニュー用テンプレートファイルに定義された表示エリアとの対応付け情報を含むメニューファイルを記憶部７４に送る。そして、記憶部７４はメニューファイルを格納する（ステップＳ１６０）。
【０１２３】
一方、スケジュール作成部７５１においては、再生設定時間情報ファイルに基づいてスケジュール内での番組ファイル毎の再生開始日時と再生終了日時を決定する（ステップＳ１７０）。このとき、１つの番組ファイルの再生開始日時と再生終了日時に、番組ファイルとの対応付け情報を定義しておく。ここで、番組同士の再生設定時間が重なった場合は、各番組ファイルの表示優先順位が上位の番組ファイルを優先的にスケジュールに入れることによって、各番組ファイルの再生開始日時と再生終了日時を決定する。各番組ファイルの再生開始日時と再生終了日時をスケジュールファイルとして記憶部７４に送り、記憶部７４はスケジュールファイルを格納する（ステップＳ１８０）。
【０１２４】
なお、メニュー作成部７５２でのメニューの作成より先にスケジュール作成部７５１でのスケジュール作成を行ってもよい。また、メニュー作成部７５２でのメニューの作成とスケジュール作成部７５１でのスケジュール作成は同時に行ってもよい。
【０１２５】
作成されたメニューファイルおよびスケジュールファイルは記憶部７４に格納し（ステップＳ１８０）、必要に応じてパック情報ファイル、番組ファイル（素材データ、再生用テンプレートファイル）とともにプレゼンテーションパック２として通信ＩＦ部７６から情報表示装置１０に送られる（ステップＳ１９０）。
【０１２６】
なお、番組表示優先度情報ファイル等に基づいてメニューファイルとスケジュールファイルを作成する場合に限られず、番組表示優先度情報ファイル等に基づいてメニューファイルを作成した後このメニューファイルに基づいてスケジュールファイルを作成してもよいし、番組表示優先度情報ファイル等に基づいてスケジュールファイルを作成した後このスケジュールファイルに基づいてメニューファイルを作成してもよい。また、メニューファイルを作成した後、このメニューファイルに基づいてスケジュールファイルを作成する場合は、番組の再生順序、再生回数、再生時間帯を設定することによってスケジュールファイルを作成する。このように、メニューファイルを作成した後、このメニューファイルに基づいてスケジュールファイルを作成する場合、番組表示優先順位設定部７５３は、メニュー用テンプレート等によって表示されるメニュー画面内の表示エリア（自動再生用ボタン）の位置やサイズに基づいて番組ファイル毎の表示優先順位をつける。
【０１２７】
また、メニュー画面に表示される自動再生用ボタンの位置や大きさで番組毎の優先順位をつける場合、番組表示優先順位設定部７５３は、例えばメニュー画面の左上に位置する自動再生用ボタンに割り当てられた番組ファイルや大きな自動再生用ボタンに割り当てられた番組ファイルを優先度の高い番組として順位付けを行う。そして、スケジュール作成部７５１は、番組ファイル毎の優先順位に基づいて番組のスケジュールファイルを作成する。ここでは、優先順位の高い番組の再生回数を増やしたり、視聴率の高い時間帯に再生させるようスケジュールを作成する。
【０１２８】
一方、スケジュールファイルを作成した後このスケジュールファイルに基づいてメニューファイルを作成する場合、番組表示優先順位設定部７５３はスケジュール再生される番組の再生開始日時や再生終了日時、再生回数、再生の合計時間等に基づいて番組毎の表示優先順位をつける。なお、この場合であってもメニューファイルの作成には、前述の自動再生用ボタン用の素材データ、メニュー用テンプレートファイル、自動再生用ボタン用の素材データと番組ファイルとの対応付け情報、メニュー用テンプレートファイルに定義された複数の表示エリアの配置優先度に関する情報は必要となる。番組表示優先順位設定部７５３は、例えば、再生開始日時や再生終了日時が視聴率の高い時間帯である番組を表示優先度の高い番組ファイルとして順位付ける。また、スケジュール内において再生回数の多い番組や再生の合計時間が大きい番組を表示優先度の高い番組ファイルとして順位付ける。そして、メニュー作成部７５２は番組ファイル毎の表示優先順位に基づいて番組のメニューファイルを作成する。メニュー作成部７５２は、メニュー用テンプレート内の表示エリア（自動再生用ボタン）の位置やサイズに基づいて表示エリアの配置優先度を決めておく。そして、表示優先順位が上位の番組ファイルを、配置優先度が上位の表示エリアに対応付けるよう、自動再生用ボタン用の素材データと表示エリアとの対応付け情報を作成する。
【０１２９】
また、番組ファイル名と、該番組ファイル名と番組ファイルの対応付け情報と、メニュー用テンプレートファイルと、このメニュー用テンプレート内において番組ファイル名を表示するための１〜複数の表示エリア（自動再生用ボタン）の配置優先度に関する情報は、テンプレート作成装置８や素材データ作成装置９等によって作成したものを情報作成装置７０が受信し、記憶部７４に格納しておいてもよいし、情報作成装置７０で作成したものを記憶部７４に格納しておいてもよい。
【０１３０】
つぎに、情報表示装置１０の構成について説明する。図６に示すように、本実施例にかかる情報表示装置１０は、表示部１１、入力部１２、入出力ＩＦ部１３、記憶部１４、通信ＩＦ部１５、制御部１６で構成されている。制御部１６は、入出力ＩＦ部１３、記憶部１４、通信ＩＦ部１５と接続され、入出力ＩＦ部１３は表示部１１、入力部１２と接続されている。表示部１１は、番組をスケジュール再生またはメニュー再生させる表示手段であり、例えば液晶表示パネル、プラズマディスプレイ装置等を備えて構成されている。
【０１３１】
入力部１２は、種々の情報を入力するための入力手段であり、マウスやキーボードを備えて構成されている。入力部１２には、メニュー再生とスケジュール再生の変更要求やメニュー内で再生させる番組の指定等が指示情報または選択情報として入力される。再生指示には、再生する番組に対応する番組ファイル（プレゼンテーションファイル）のファイル名が含まれている。
【０１３２】
入力部１２への情報の入力は、表示部１１の画面上に配置（表示）したボタンをマウスでクリックすること等によって行われる。タッチパネル方式で入力部１２へ情報の入力を行う場合は、表示部１１のタッチパネル画面上に表示されたボタンを指で触る等して情報を入力する。
【０１３３】
例えば、スケジュール再生中の画面にスケジュール再生からメニュー再生への切替えボタンを配置しておき、利用者がこのボタンをマウスでクリックする等してスケジュール再生からメニュー再生への変更を行う。また、メニュー再生中の画面にメニュー再生からスケジュール再生への切替えボタンを配置しておき、利用者がこのボタンをマウスでクリックする等してメニュー再生からスケジュール再生への変更を行うようにしてもよい。
【０１３４】
表示部１１においてメニュー再生を行う場合、利用者はメニュー再生画面から所望の番組名に対応する自動再生用ボタンをマウスでクリックする等して所望の番組を指定する。
【０１３５】
メニュー再生終了後には、制御部１６によってスケジュール再生に切替えるよう制御される。メニュー再生からスケジュール再生への切替えは１つの番組が終了した後すぐに行ってもよいし、１つの番組が終了した後所定の時間経過後に行ってもよい。また、番組の情報視聴者（利用者）がスケジュール再生への変更ボタンをマウスでクリックする等した時に、メニュー再生からスケジュール再生へ切替えてもよい。さらに、情報配信表示システムの監視装置５から、メニュー再生からスケジュー再生切替えの制御指示を送信することによって、メニュー再生からスケジュール再生へ切替えてもよい。
【０１３６】
入出力ＩＦ部１３は、入力部７２からのデータ入力を行い、表示部１１へのデータ出力を行うためのインタフェースである。通信ＩＦ部１５は、情報作成装置７０等から送られるスケジュールファイル、メニューファイル、番組ファイル等やこれらを含むプレゼンテーションパックを受信するインタフェースである。
【０１３７】
記憶部１４は、通信ＩＦ部１５で受信した番組ファイル、メニューファイル、スケジュールファイル、素材データ、再生用テンプレートファイル等を格納する格納手段（記憶手段）である。
【０１３８】
制御部１６は、これら表示部１１、入力部１２、入出力ＩＦ部１３、記憶部１４、通信ＩＦ部１５を制御する手段である。スケジュール再生画面からメニュー画面への切替えを行うためにスケジュール画面内の切替え用ボタンがマウスでクリックする等された場合や、メニュー画面からスケジュール再生画面への切替えを行うためメニュー画面内の切替え用ボタンがマウスでクリックする等された場合は、入力部１２から入出力ＩＦ部１３を介して制御部１６へ、メニュー再生またはスケジュール再生への変更要求の指示情報または選択情報が送られる。そして、制御部１６は、メニュー再生への変更要求があった場合は表示部１１にメニュー画面を表示させる。また、スケジュール再生への変更要求があった場合は、表示部１１にスケジュール再生を行わせる。
【０１３９】
また、メニュー画面内において、所望の番組を選択して自動再生用ボタンをマウスでクリックする等した場合は、入出力ＩＦ部１３を介して制御部１６へ、番組選択の指示情報や選択情報が送られる。そして、制御部１６は、表示部１１へ選択された番組を再生させる。
【０１４０】
つぎに、情報表示装置１０における番組の再生手順について説明する。スケジュール再生を行う際は、記憶部１４に格納しているスケジュールファイル内の情報（番組毎の再生開始時刻等）に基づいて、記憶部１４に格納している番組ファイルを表示部１１で再生する。このとき、再生用テンプレートを用いて番組の再生を行ってもよい。
【０１４１】
メニュー再生を行うための指示情報が入力部１２から入力されると、記憶部に１４に格納しているメニュー画面を表示部１１に表示する。メニュー画面内で番組ファイル名が選択されると、メニュー画面内で選択された番組ファイル名に基づいて記憶部１４に格納している番組ファイルを検索する。
【０１４２】
情報表示装置１０では、各自動再生用ボタンと番組ファイルの対応付けが行われているため番組のメニュー再生が可能となる。番組ファイル（プレゼンテーションファイル）は、素材データや再生用テンプレートファイルと対応付けられているため、表示部１１で番組ファイル名に対応する素材データが再生テンプレート上で再生される。例えば、表示エリア２８３ａの位置にある自動再生用ボタンｂ１と番組ファイルＡが対応付けられている場合は、自動再生用ボタンｂ１をマウスでクリックする等により指定することで番組ファイルＡを再生させることができる。
【０１４３】
メニュー画面から選択された番組再生が終了した後は、再びメニュー画面を表示するようにしてもよいし、スケジュール再生をするようにしてもよい。メニュー画面を表示する場合は、所定の時間メニュー画面から番組の選択が行われなかった場合にスケジュール再生をする。
【０１４４】
このように、スケジュール再生を行う場合もメニュー再生を行う場合も同一の番組ファイルを利用できるので、記憶部１４において格納するデータ量を削減することができ、番組としての訴求性も高まる。
【０１４５】
なお、メニューファイルやメニュー用テンプレートファイルは１つに限られず複数用意しておいてもよい。そして、日時毎や場所毎に表示させるメニュー画面を変更する。この場合、表示させるメニュー画面を所定の日時毎に変更させるためのスケジュールファイルを作成しておく。例えば、午前は音楽情報を中心とした番組のメニュー画面を表示させ、午後は映画情報を中心とした番組のメニュー画面を表示させるスケジュールファイルを作成しておく。これにより、日時や場所に応じた番組のメニュー画面と番組を再生させることが可能となる。
【０１４６】
なお、情報表示装置１０や情報作成装置７０は情報配信表示システムに適用する場合に限られず、他の通信システムに適用してもよい。また、情報作成装置７０と情報表示装置１０を直接接続する構成としてもよい。
【０１４７】
このように実施例によれば、スケジュールファイルによって再生させる番組とメニューファイルによって再生させる番組が共用されるので、スケジュールファイルとメニューファイルの作成を短時間で容易に行える。また、スケジュールファイルとメニューファイルは、同一の番組表示優先度情報によって作成することができるので、スケジュールファイルとメニューファイルの作成を短時間で容易に行える。また、スケジュールファイルとメニューファイルは同一の番組を再生させるため少ない数の番組ファイルでスケジュール再生とメニュー再生が可能となる。また、番組ファイルの数が少ないため、番組ファイルの送受信が容易になるとともに、番組を表示させるためのファイルを格納する記憶部１４の容量を小さくすることが可能となる。
【図面の簡単な説明】
【０１４８】
【図１】情報配信表示システムが扱うプレゼンテーションパックの構成を示す図である。
【図２】情報配信表示システムが扱うデータおよび制御情報ファイルを説明するための図である。
【図３】情報配信表示システムの構成を示すシステム構成図である。
【図４】番組の作成手順を説明するための図である。
【図５】情報作成装置の構成を示すブロック図である。
【図６】情報表示装置の構成を示すブロック図である。
【図７】番組表示優先度情報の内容を説明するための図である。
【図８】スケジュールファイルの作成方法を説明するための図である。
【図９】メニューファイルの作成方法を説明するための図である。
【図１０】メニューファイルとスケジュールファイルの作成手順を示すフローチャートである。
【符号の説明】
【０１４９】
１，１０  情報表示装置
２  プレゼンテーションパック
３  データ配信サーバ
５  監視装置
６  ネットワーク
７，７０  情報作成装置
８  テンプレート作成装置
９  素材データ作成装置
１１，７１  表示部
１２，７２  入力部
１３，７３  入出力ＩＦ部
１４，７４  記憶部
１５，７６  通信ＩＦ部
１６，７７  制御部
２１  パック情報ファイル
２２  メニューファイル
２３  自動プレゼンスクリプト
２４  プレゼンテーションファイル
２５  素材データ
２６  再生用テンプレートファイル
７５  スケジュール・メニュー作成部
２８０  メニュー用テンプレート
２８１  メニュー画面
２８３ａ〜２８３ｄ  エリア
７５１  スケジュール作成部
７５２  メニュー作成部
７５３  番組表示優先順位設定部
ｂ１〜ｂ４  素材データ
【図１】
2005196697.tif 000003
【図２】
2005196697.tif 000004
【図３】
2005196697.tif 000005
【図４】
2005196697.tif 000006
【図５】
2005196697.tif 000007
【図６】
2005196697.tif 000008
【図７】
2005196697.tif 000009
【図８】
2005196697.tif 000010
【図９】
2005196697.tif 000011
【図１０】
2005196697.tif 000012